(57)【要約】 【課題】  各種小物類をいつも整然とした状態に体裁良く収納しておくことができる収納本体と、その下部に位置する着脱容易な保持具を備えた台所用品収納具を提供する。【解決手段】  各種台所用品Ｐを収納する箱状の収納本体２と、当該収納本体２の下部に位置して台所用品Ｂを係止・保持する保持具３とを備えた台所用品収納具１であって、前記収納本体２の底面部に、左右方向に摺動可能な仕切板６を収納本体２の前後方向に配設して、前記収納本体２を複数のポケットに画成すると共に、背面部に前記保持具３が係止される係着部１２を設けた。【選択図】    図８
2005034477.tif 000002
【特許請求の範囲】
【請求項１】
各種台所用品を収納する有底箱状の収納本体と、当該収納本体の下部に位置して台所用品を係止・保持する保持具とを備えた台所用品収納具であって、
前記収納本体の底面部に、左右方向に摺動可能な仕切板を収納本体の前後方向に配設して、前記収納本体を複数のポケットに画成すると共に、背面部に前記保持具が係止される係着部を設けたことを特徴とする台所用品収納具。
【請求項２】
前記収納本体の底面部に、左右方向に前後一対の係合溝を相平行して設けると共に、前記仕切板に前記一対の係合溝に摺動自在に係合する係合部を設けて着脱可能に取り付けたことを特徴とする請求項１に記載の台所用品収納具。
【請求項３】
前記保持具は、上部に前記収納本体の係着部へ係止可能な係止部を有するホルダー本体と、当該ホルダー本体の両側に取り付けて、キッチンペーパー等のロール体を回動自在に支持する支持アームと、当該ホルダー本体の前面に前側に傾斜して設け、前記ロール体と当接して摩擦抵抗を呈する滑り止めとを備えることを特徴とする請求項１または請求項２の何れかに記載の台所用品収納具。
【請求項４】
前記保持具は、上部に前記収納本体の係着部へ上下スライド可能に係止する係止部を有する垂直部と、当該垂直部の下端の水平部とで構成され、当該水平部および前記収納本体の底面部との間に箱入り台所用品等の箱体を挟持することを特徴とする請求項１または請求項２の何れかに記載の台所用品収納具。
【請求項５】
前記保持具の係止部は、前記収納本体の係着部に設けた凸部に係合する凹部を有することを特徴とする請求項３または請求項４の何れかに記載の台所用品収納具。
【発明の詳細な説明】
【技術分野】
【０００１】
本発明は、各種の台所用品を収納する収納具であって、例えば、ラップフィルムやアルミホイール等の小物類を収納する収納本体と、その下部に位置してキッチンペーパー等のロール体や箱入りキッチンペーパー等の箱体を係止・保持しておく保持具とを備えた台所用品収納具に関する。
【背景技術】
【０００２】
従来より、この種の台所用品収納具として特許文献１および特許文献２が知られている。
【０００３】
特許文献１に開示される台所用物品収納具は、ラップフィルムやアルミホイール等の小物類を入れるための収納箱と、この収納箱の下部に設けられてキッチンペーパー等のロール体を保持する係止具とを備えており、この係止具は、収納箱の底部に形成された取付穴にその係合部を着脱可能に取り付けることにより構成されている。係止具として、キッチンペーパーホルダーや布巾掛け等が取り付け可能である。
【０００４】
また、特許文献２に開示される物品保持具は、ラップケース等の小物を入れるための小物入れと、この小物入れの下部に設けられて、キッチンペーパー等のロール体を保持するロール保持具とを備えており、このロール保持具は支持アームをスライド可能に構成してロール体の幅の長短にある程度対応できるようになっている。
【０００５】
【特許文献１】特開平１０−２３９７９号公報
【０００６】
【特許文献２】特開２００２−２０９７７１号公報
【発明の開示】
【発明が解決しようとする課題】
【０００７】
ところで、これら特許文献１、２に開示されている台所物品収納具や物品保持具では、収納部は何れも小物類を収納するための有底横長の箱体で構成されている。
【０００８】
ところが、特許文献１の収納部は、仕切のない単純な横長四角状の箱体で構成されることから、各種小物類は、その大きさや用途に関係なく全て一纏めにした状態で無造作に、且つ乱雑な状態で収納されるのが常であり、使い易さや美感の点で問題があった。
一方、特許文献２では、箱体（小物入れ）に仕切を設けて収納空間を複数のポケットに画成しており、これらのポケットに各種小物類を用途や大きさに応じて分類・収納できるようになっているが、ポケット幅が固定されているため、小物類の大きさによっては収納できないものがあったり、ポケット幅と小物類の大きさのアンバランスで効率的な収納ができないといった欠点もあった。
【０００９】
また、特許文献２の係止具は、ロール保持具に限られているため、各種台所用品を身近に置いて効率的に使用したい台所内にあっては、使い勝手の面で少々問題があった。
一方、特許文献１では、ペーパータオルホルダーや布巾掛けを始めとする様々な用途別パーツ（係止具）が取り付け可能であるが、箱体底部の取付穴にパーツの係合部を嵌め込むパーツの交換操作は煩雑で面倒な作業であった。
【００１０】
本発明は、このような従来の物品収納具の問題点に鑑み成されたもので、各種小物類をいつも整然とした状態に体裁良く収納しておくことができる収納本体と、その下部に位置する着脱容易な保持具を備えた台所用品収納具を提供することを目的としている。
【課題を解決するための手段】
【００１１】
すなわち、請求項１に記載の本発明は、各種台所用品を収納する有底箱状の収納本体と、当該収納本体の下部に位置して台所用品を係止・保持する保持具とを備えた台所用品収納具であって、前記収納本体の底面部に、左右方向に摺動可能な仕切板を収納本体の前後方向に配設して、前記収納本体を複数のポケットに画成すると共に、背面部に前記保持具が係止される係着部を設けたことを特徴としている。
【００１２】
また、請求項２に記載の本発明は、請求項１に記載の台所用品収納具において、前記収納本体の底面部に、左右方向に前後一対の係合溝を相平行して設けると共に、前記仕切板に前記一対の係合溝に摺動自在に係合する係合部を設けて着脱可能に取り付けたことを特徴としている。
【００１３】
また、請求項３に記載の本発明は、請求項１または請求項２の何れかに記載の台所用品収納具において、前記保持具は、上部に前記収納本体の係着部へ係止可能な係止部を有するホルダー本体と、当該ホルダー本体の両側に取り付けて、キッチンペーパー等のロール体を回動自在に支持するアームと、当該ホルダー本体の前面に前側に傾斜して設け、前記ロール体と当接して摩擦抵抗を呈する滑り止めとを備えることを特徴としている。
【００１４】
また、請求項４に記載の本発明は、請求項１または請求項２の何れかに記載の台所用品収納具において、前記保持具は、上部に前記収納本体の係着部へ上下スライド可能に係止する係止部を有する垂直部と、当該垂直部の下端の水平部とで構成され、当該水平部および前記収納本体の底面部との間に箱入り台所用品等の箱体を挟持することを特徴としている。
【００１５】
また、請求項５に記載の本発明は、請求項３または請求項４の何れかに記載の台所用品収納具において、前記保持具の係止部は、前記収納本体の係着部に設けた凸部に係合する凹部を有することを特徴としている。
【００１６】
ここで、請求項１、請求項２に記載の構成では、各種台所用品の大きさに合わせてポケット幅を調整することにより、小物類をいつも整然とした状態に体裁良く収納しておくことができると共に、収納本体の収納スペースを有効に活用した効率的な収納が行える。
また、請求項３に記載の構成では、収納本体に小物類をいつも整然とした状態に体裁良く収納しておくことができると共に、保持具にあっては、支持アームに支持されたロールペーパが滑り止めに幾分角度を持って当接し、顕著な摩擦効果が得られるため、ロールペーパを片手でミシン目から確実に切除することができる。
また、請求項４に記載の構成では、収納本体に小物類をいつも整然とした状態に体裁良く収納しておくことができると共に、保持具の水平部を箱体の大きさに応じて位置調整することにより、大きさの異なる各種箱体をしっかりと保持しておくことができる。
また、請求項５に記載の構成では、収納本体は、その係着部に係止可能な保持具をそれぞれ用途に応じて選択的に取り付けて使用することができ、且つ、その取り付けや取り外しは極めて簡単に行える。
【発明の効果】
【００１７】
以上説明したように、請求項１、請求項２に記載の本発明によれば、収納本体を摺動可能な仕切板にて複数のポケットに画成する構成としたので、各種台所用品の大きさや用途に応じてポケット幅を調整することにより、収納本体には小物類をいつも整然とした状態に体裁良く収納しておくことができると共に、収納本体の収納スペースを有効に活用した効率的な収納が行える。
【００１８】
また、請求項３に記載の本発明によれば、ロール体と当接して摩擦抵抗を呈する滑り止めをホルダー本体の前面に前側に傾斜して設けたので、支持アームに支持されたロールペーパーは滑り止めに対して幾分角度を持って当接するため、当接時の摩擦効果は顕著であり、その大きな摩擦抵抗によってロールペーパーを片手でミシン目から確実に切除することができる。
【００１９】
また、請求項４に記載の本発明によれば、収納本体との間に箱体を挟持する保持具の水平部の高さ位置を調整可能としたので、箱体の大きさに関係なく大きさの異なる各種の箱体をしっかりと保持しておくことができる。
【００２０】
また、請求項５に記載の本発明によれば、保持具の係止部に、収納本体の係着部の凸部に係合する凹部を設けたので、収納本体は、その係着部に係止可能な保持具をそれぞれ用途に応じて選択的に取り付けて使用することができ、且つ、その取り付けや取り外しは極めて簡単に行えるため、使い勝手は極めて良好である。
【発明を実施するための最良の形態】
【００２１】
以下、図１〜図８に基づいて本発明に係る台所用品収納具の一実施形態を説明する。
図１は台所用品収納具の収納本体の上面図、図２は台所用品収納具の収納本体の側面図、図３は台所用品収納具の収納本体の要部背面図、図４は仕切板を示す図、図５は台所用品収納具の正面図、図６は同、側面図、図７は別の台所用品収納具の正面図、図８は同、側面図である。
【００２２】
図５〜図８に示すように、本実施形態の台所用品収納具１は、ラップフィルムやアルミホイール等の各種台所用品Ｐを収納しておく収納本体２と、この収納本体２の下部に着脱自在に配設されてロール状のキッチンペーパーＲや箱入りの折り畳み式キッチンペーパーＢ等を係止・保持しておく保持具３とから成る。
【００２３】
収納本体２は、図１、図２に示すように、上部を開口した有底横長の合成樹脂製の箱体であって、この収納本体２の底面部４に、一端部を幅広に形成した相平行する前後（奥行き方向）一対の係合溝５ａ、５ｂが左右方向（長手方向）に並んで２組設けてあり、それぞれ対を成す係合溝５ａ、５ｂには、図４に示す四角状の仕切板６が着脱自在に装着できるようになっている。
【００２４】
この仕切板６は、高さ寸法が収納本体２の高さのほぼ半分、幅寸法が収納本体２の奥行きと同程度、若しくは幾分狭くした合成樹脂製の薄板で構成されており、その基部６ａに上記した底面部４の係合溝５ａ、５ｂに係合する横断面コの字形の係合部７を備えており、この係合部７の各コの字端部９、９を底面部４の係合溝５ａ、５ｂにその幅広部８、８より差し込むことにより、係合部７のコの字端部９、９が各係合溝５ａ、５ｂの内縁部に係合して、仕切板６は収納本体２の左右方向に摺動自在の状態となり、この摺動自在の仕切板６により、収納本体２の収納空間を任意幅の複数のポケット１１に画成できるようになっている。ポケット幅は収納物の用途や大きさに応じて適宜調整すれば良い。
【００２５】
尚、実施形態では、この前後一対の係合溝５ａ、５ｂを底面部４の左右方向に２組形成したが、底面部４の一端から他端に亘る一連の長い係合溝５ａ、５ｂを形成しても良い。また、各係合溝５ａ、５ｂに装着する仕切板６は１枚に限るものではなく、例えば、図５、図７には、一方の係合溝５ａ、５ｂに１枚、他方の係合溝５ａ、５ｂに２枚装着し、計４個のポケット１１を形成した構成が示されている。
【００２６】
また、収納本体２の背面部１０には、中央付近に係着部１２が設けてあり、後述する各種の保持具３を係脱自在に係止し、保持具３を収納本体２の下部に配置できるようになっている。
【００２７】
係着部１２は、図１〜図３に示すように、中央幅方向に凸部１４を形成した一対の平面視Ｌ形の板部材１３、１３を対向配置したもので、この凸部１４に後述する保持具３の凹部（２８、３２）が係合することにより、保持具３を収納本体２の背面部１０に着脱自在に係止できるようになっている。尚、この係着部１２を構成する一対のＬ形板部材１３、１３は背面部１０に一体成形されている。
【００２８】
また、収納本体２の背面部１０の上部左右２カ所に、この台所用品収納具１を壁面に固定するためのヨーク１８付きのマグネット１５、１５が取り付けてある。
本実施形態では、図３に示すように、合成樹脂製の板材で成る背面部１０の適所にコの字状の切欠溝１６を設けて、その内側の部分を弾性変形可能な可動片１７とすると共に、この可動片１７にヨーク１８付きのマグネット１５を取り付ける構造としており、磁着の際、可動片１７が壁面に沿って、図３においては手前側に揺動するため、台所用品収納具１を冷蔵庫等の曲面へ取り付けることも可能である。
【００２９】
次に、図５、図６は、上記構成の収納本体２に、保持具としてのロールペーパーホルダー３を取り付けた台所用品収納具１である。
【００３０】
ロールペーパーホルダー３は、上部に上記した収納本体２の係着部１２へ係止可能な係止部２１を設けた板状のホルダー本体２０と、このホルダー本体２０の両側に取り付けて、ロール状のキッチンペーパーＲ（ロールペーパーＲ）等のロール体を回動自在に支持する一対のＬ形支持アーム２２、２２とで構成される。
【００３１】
ホルダー本体２０の係止部２１は、角形舌状片２７の両側部に収納本体２の係着部１２に設けた凸部１４に係合する凹部２８を形成したものである。この角形舌状片２７は、幅方向の中央に縦方向の切欠溝２６を設けて幅方向に適度な弾性を持たせていると共に、収納本体２の係着部１２を構成する一対のＬ形板部材１３、１３の間に挿入した時、その弾性に抗して上下摺動ができるような幅寸法が設定されており、係着部１２の凸部１４と係止部２１の凹部２８が係合して角形舌状片２７が弾性復帰することにより、ロールペーパーホルダー３は収納本体２の背面部１０にしっかり係合係止される。
この時、ホルダー本体２０は収納本体２の下部に位置し、その支持アーム２２に装着されるロールペーパーＲは丁度収納本体２の底面部４の真下に位置することになる。
【００３２】
支持アーム２２は、ホルダー本体２０の両側面に穿設した取付孔２３、２３に、例えば、二つ割り構造にして弾性を持たせたジョイント２４の筒状胴部を回動自在に嵌合すると共に、ジョイント２４の頭部にピン２５にて回動自在に枢着されている。
【００３３】
このように、支持アーム２２は、ピン２５を中心とする回動とジョイント２４の胴部を中心とする回動の両方が可能であり、よって、ロールペーパーＲの幅の長短や径の大小に関係なく装着できることになる。
【００３４】
また、ホルダー本体２０の前面部２０ａには、ロールペーパーＲと当接して摩擦抵抗を呈する滑り止め２９が設けてある。この滑り止め２９は、比較的摩擦抵抗の大きい、ゴム板（例えば、ＲＢ）を貼着したものであって、且つ、図６に示すように、ホルダー本体２０の前面部２０ａが前側に傾斜している。
【００３５】
このため、ロールペーパーＲを支持アーム２２に装着すると、ロールペーパーＲの巻面が滑り止め２９に対して幾分角度を持って当接することになり、その結果、当接時の摩擦抵抗はホルダー本体２０の前面部２０ａが垂直に構成される場合に比べて大きなものとなる。従って、図６の矢印で示すように、片手でロールペーパーＲの端部を下方に引っ張れば、滑り止め２９で呈する大きな摩擦抵抗によって確実にミシン目から切除することができる。また、ロールペーパーＲの径が細くなった場合も、上記した摩擦抵抗の効果により切除し易くなっている。
尚、滑り止め２９は、必ずしも上記のように摩擦抵抗の大きいゴム材を貼着したものに限らず、ロールペーパーＲの巻面が当接する前面部２０ａの部分に断面三角形の連続横溝を形成して滑り止２９としても構わない。
【００３６】
また、前面部２０ａの裏側下部にヨーク１８付きのマグネット１５が取り付けてあり、ロールペーパーホルダー３自体を壁面にしっかり固定できるようになっている。
【００３７】
次に、図７、図８は、上記した収納本体２にペーパーボックスホルダー３を取り付けた台所用品収納具１である。
ペーパーボックスホルダー３は、Ｌ形の薄板材３０で成り、上部に収納本体２の係着部１２へ係止する係止部３１を形成した垂直部３０ａと、垂直部３０ａの下端の水平部３０ｂとで構成されている。
【００３８】
係止部３１は、板材の両側部に収納本体２の係着部１２に設けた凸部１４に係合する凹部３２を連続して多数形成してスライド部を構成すると共に、中央部、および、連続する凹部３２に沿うように、その近傍にそれぞれ縦方向の切欠溝３６、３３を設けて係止部３１に幅方向の弾性を持たせたものである。
【００３９】
係止部３１は、収納本体２の背面部１０に対向配置された一対のＬ形板部材１３、１３の間に挿入すると、その弾性に抗して上下摺動自在となるような幅寸法が設定されており、係着部１２の凸部１４と係止部３１の任意の位置の凹部３２が係止部３１の弾性を持って係合することにより、ペーパーボックスホルダー３を収納本体２の背面部１０にしっかり係止することができる。
【００４０】
この時、Ｌ字形の板材３０は、収納本体２の下部に位置するようになっており、板材３０の水平部３０ｂと収納本体２の底面部４との間にボックスタイプのキッチンペーパー等を収納した箱体Ｂを挟持することができる。
箱体Ｂの大きさに応じて水平部３０ｂを図７の矢印のように上下摺動し、水平部３０ｂの高さ位置を調整することにより、大きさの異なる各種の箱体Ｂを確実に挟持することができ、箱体Ｂは収納本体２の丁度真下に保持される。
【００４１】
この水平部３０ｂの両端部と、これらに対応する収納本体２の底面部４の部位に設けた嵌合孔３４には、それぞれ摩擦抵抗の大きいゴム材（例えば、ＲＢ）等で成る半球状の滑り止め３５が嵌着されており、挟持した箱体Ｂがこの滑り止め３５と４カ所で当接し、その摩擦力で挟持した箱体Ｂがペーパーの取り出し時等に脱落しないようになっている。
【００４２】
尚、収納本体２の底面部４側では、各嵌合孔３４の周囲を囲むように横Ｕ字状の切欠溝１９を設けて、その内側の部分を弾性変形可能に構成することにより、滑り止め３５の押圧力に適度な弾性を持たせており、この切欠溝１９による底面部４側の弾性と、薄板部材による水平部３０ｂの弾性により、箱体Ｂを上下より適度な弾性を持って挟持できるようになっている。
【００４３】
また、垂直部３０ａの裏側下部にヨーク１８付きのマグネット１５が取り付けてあり、ペーパーボックスホルダー３自体を壁面にしっかり固定できるようになっている。
【００４４】
以上のように、本実施形態の収納本体２は、背面部１０の係着部１２に保持具であるロールペーパーホルダー、或いはペーパーボックスホルダーをそれぞれ用途に応じて選択的に取り付けて使用することができ、且つ、取り付けや取り外しも極めて簡単に行える。また、収納本体２のポケット幅は調整自在であるため、大きさや用途に応じて種々の小物類を体裁良く整然と収納しておくことができる。
【図面の簡単な説明】
【００４５】
【図１】本発明に係る台所用品収納具の収納本体の上面図。
【図２】同、台所用品収納具の収納本体の側面図。
【図３】同、台所用品収納具の収納本体の要部背面図。
【図４】仕切板を示し、（ａ）は側面図、（ｂ）は平面図、（ｃ）は正面図。
【図５】本発明に係る台所用品収納具の正面図。
【図６】同、台所用品収納具の側面図。
【図７】本発明に係る別の台所用品収納具の正面図。
【図８】同、側面図。
【符号の説明】
【００４６】
１  台所用品収納具
２  収納本体
３  保持具（ロールペーパーホルダー、ペーパーボックスホルダー）
４  底面部
５ａ、５ｂ  係合溝
６  仕切板
７  係合部
１０  背面部
１１  ポケット
１２  係着部
１４  凸部
２０  ホルダー本体
２１、３１  係止部
２２  支持アーム
２８、３２  凹部
２９  滑り止め
３０ａ  垂直部
３０ｂ  水平部
Ｂ  箱入り台所用品（箱体）
Ｐ  台所用品
Ｒ  ロール体（ロールペーパー）
【図１】
2005034477.tif 000003
【図２】
2005034477.tif 000004
【図３】
2005034477.tif 000005
【図４】
2005034477.tif 000006
【図５】
2005034477.tif 000007
【図６】
2005034477.tif 000008
【図７】
2005034477.tif 000009
【図８】
2005034477.tif 000010